(57)【要約】【課題】初期照度補正機能によるＬＥＤの減光の程度をユーザに通知することができるＬＥＤ電源回路及びそれを用いたＬＥＤ照明装置を提供する。  【解決手段】交流入力電圧を直流変換して変換出力をＬＥＤに供給する電流供給回路、及びＬＥＤの累積点灯時間に基づいて変換出力を定格出力よりも低減させる初期照度補正機能を有する制御部を備えたＬＥＤ電源回路において、制御部は、定格出力値を累積点灯時間に基づいて低減した補正出力値を決定し、所定期間経過前は定格出力値を出力の目標値として電流供給回路を制御し、所定期間経過後は補正出力値を出力の目標値として電流供給回路を制御するように構成される。【選択図】図１
2014007356.tif 000002
【特許請求の範囲】
【請求項１】
ＬＥＤ電源回路であって、
交流入力電圧を直流変換して変換出力をＬＥＤに供給する電流供給回路、及び
前記ＬＥＤの累積点灯時間に基づいて前記変換出力を定格出力よりも低減させる初期照度補正機能を有する制御部
を備え、
前記制御部が、前記定格出力値を前記累積点灯時間に基づいて低減した補正出力値を決定し、前記所定期間経過前は該定格出力値を出力の目標値として前記電流供給回路を制御し、該所定期間経過後は該補正出力値を出力の目標値として該電流供給回路を制御するように構成されたＬＥＤ電源回路。
【請求項２】
請求項１に記載のＬＥＤ電源回路であって、外部からの調光信号に基づいて決定される調光指令値を前記制御部に出力する調光回路をさらに備え、
前記制御部が、前記定格出力値及び前記調光指令値に基づいて第１の調光出力値を決定し、前記調光指令値及び前記累積点灯時間に基づいて該第１の調光出力値よりも低減される第２の調光出力値を決定し、前記所定期間経過前は該第１の調光出力値を出力の目標値として前記電流供給回路を制御し、該所定期間経過後は該第２の調光出力値を出力の目標値として該電流供給回路を制御するように構成されたＬＥＤ電源回路。
【請求項３】
請求項１に記載のＬＥＤ電源回路において、前記所定期間が１秒以上１０秒以下である、ＬＥＤ電源回路。
【請求項４】
請求項１に記載のＬＥＤ電源回路であって、前記所定期間経過後に前記変換出力が徐々に低下するように構成されたＬＥＤ電源回路。
【請求項５】
請求項１から４のいずれか一項に記載のＬＥＤ電源回路、該ＬＥＤ電源回路から給電される前記ＬＥＤ、及び少なくとも該ＬＥＤ電源回路を内包する筐体を備えたＬＥＤ照明装置。
【発明の詳細な説明】
【技術分野】
【０００１】
本発明はＬＥＤ電源回路及びそれを用いたＬＥＤ照明装置に関し、特に、初期照度補正機能を有するＬＥＤ電源回路及びそれを用いたＬＥＤ照明装置に関する。
【背景技術】
【０００２】
近年、調光機能付きのＬＥＤ照明が広く使用されている。一般にＬＥＤの性質として、使用時間、即ち、累積点灯時間が増加するにつれて照度が低下していくことが知られている。これは、ＬＥＤの点灯時間が増加するにつれて、発光に寄与する格子欠陥が変化すること及び青色光を白色光に変換するＹＡＧ系の蛍光体が劣化することによって発光効率が低下することに起因する。言い換えると、ＬＥＤに定格電流を流すと、使用初期は必要以上の照度が出力されていることになる。
【０００３】
ＬＥＤ照明装置に搭載されるＬＥＤ電源回路には、このような照度の変化を補償するために、いわゆる初期照度補正機能が設けられる場合がある。初期照度補正機能とは、ＬＥＤの使用初期はＬＥＤ電流を定格電流よりも低減しておき、累積点灯時間が進むにつれてＬＥＤ電流を増加させて定格電流に近づけていく機能である。これにより、ＬＥＤ使用開始当初から使用時間の経過にかかわらず一定の照度が得られることになる。また、初期照度補正機能によって、使用初期に不要に高い照度で点灯が行われてしまうことを防止することができ、省エネ及びＬＥＤの長寿命化を実現することができる。
【０００４】
特許文献１は初期照度補正機能を備える電源装置及び照明装置を開示する。同文献によると、電源装置への特定の動作の入力に従って、電源装置はその出力モードを、初期照度補正機能が有効化された補正出力モードと、初期照度補正機能が無効化された定格出力モードとの間で切り替えるように構成される。これにより、補正出力モードが適用されている場合でも、特定動作により一旦定格出力モードに戻し、定格出力時に行うべき確認作業や調整作業を行うことができることが開示されている。
【先行技術文献】
【特許文献】
【０００５】
【特許文献１】特開２０１２−２２８８０号公報
【発明の概要】
【発明が解決しようとする課題】
【０００６】
ところで、初期照度補正機能を有する一般的なＬＥＤ照明においては、ユーザにおいて、ＬＥＤの照度が最大出力時に比べてどの程度補正（減光）されているのかが分からないという問題があった。言い換えると、ユーザは使用中のＬＥＤの寿命がどの程度進んでいるのかを知ることができない。
【０００７】
また、特許文献１の装置のように、初期照度補正機能の有効化／無効化の切替えをユーザ等に委ねる構成には、以下のような問題ががる。例えば、ユーザが初期照度補正機能を無効化した後に有効化する動作を忘れた場合、あるいは、ユーザが明るい設定を好み、敢えて初期照度補正を無効化してしまう場合、またさらに、ユーザが初期照度補正機能の有効化／無効化の動作を単なる調光機能と誤解してしまい、選択的に同機能を無効化してしまう（ユーザは全光点灯と認識している）場合が想定される。このように、初期照度補正機能を無効化した状態で点灯が継続されてしまう可能性があり、この場合、初期照度補正機能の本来の目的である省エネやＬＥＤの長寿命化を実現できなくなる。また、照明の専門家ではないユーザが上記の特定動作の技術的意義を理解してそれを適切に利用するのは困難であるため、初期照度補正機能に関する特定の操作をユーザに要求するのは好ましくない。
【０００８】
そこで、本発明は、ユーザに特別な操作を要求することなく、初期照度補正機能によるＬＥＤの減光の程度又はＬＥＤの寿命の進み度合いをユーザに通知することができるＬＥＤ電源回路及びそれを用いたＬＥＤ照明装置を提供することを課題とする。
【課題を解決するための手段】
【０００９】
本発明のＬＥＤ電源回路は、交流入力電圧を直流変換して変換出力をＬＥＤに供給する電流供給回路、及びＬＥＤの累積点灯時間に基づいて変換出力を定格出力よりも低減させる初期照度補正機能を有する制御部を備え、制御部は、定格出力値を累積点灯時間に基づいて低減した補正出力値を決定し、所定期間経過前は定格出力値を出力の目標値として電流供給回路を制御し、所定期間経過後は補正出力値を出力の目標値として電流供給回路を制御するように構成される。
【００１０】
さらに、外部からの調光信号に基づいて決定される調光指令値を制御部に出力する調光回路を備え、制御部が、定格出力値及び調光指令値に基づいて第１の調光出力値を決定し、調光指令値及び累積点灯時間に基づいて第１の調光出力値よりも低減される第２の調光出力値を決定し、所定期間経過前は第１の調光出力値を出力の目標値として電流供給回路を制御し、所定期間経過後は第２の調光出力値を出力の目標値として電流供給回路を制御するように構成されるようにしてもよい。
【００１１】
ここで、上記所定期間は１秒以上１０秒以下であることが望ましい。
また、所定期間経過後に変換出力が徐々に低下するように構成されるようにしてもよい。
【００１２】
本発明の第２の側面は、上記のＬＥＤ電源回路、ＬＥＤ電源回路から給電されるＬＥＤ、及び少なくともＬＥＤ電源回路を内包する筐体を備えたＬＥＤ照明装置である。
【図面の簡単な説明】
【００１３】
【図１】本発明の第１の実施例によるＬＥＤ電源回路を示す図である。
【図２】本発明の第１の実施例によるＬＥＤ電源回路の動作を説明する図である。
【図３】本発明の第２の実施例によるＬＥＤ電源回路を示す図である。
【図４】本発明の第２の実施例によるＬＥＤ電源回路の動作を説明する図である。
【発明を実施するための形態】
【００１４】
実施例１．
図１に本発明の第１の実施例によるＬＥＤ電源回路１の回路構成図を示す。ＬＥＤ電源回路１は、直流電源回路２、電流制限回路３、制御電源生成回路５、第１の制御回路７及び第２の制御回路８を備える。なお、直流電源回路２及び電流制限回路３をまとめて電流供給回路といい、制御回路７及び８をまとめて制御部というものとする。また、実際の回路素子が上記のどの回路に属するかは便宜的なものであり、上記の区分けが本発明を拘束するものではない。このＬＥＤ電源回路１、ＬＥＤ４、及び少なくともＬＥＤ電源回路１が実装された基板を内包する筐体（不図示）によりＬＥＤ照明装置が構成される。ＬＥＤ４はＬＥＤ電源回路１と同じ基板に実装される等して一体化されていてもよいし、ケーブルを介して別置されてもよい。
【００１５】
本実施例では、初期照度補正機能を実行可能な制御部が、ＬＥＤの点灯開始後の所定期間は初期照度補正機能を無効化し、所定期間経過後に同機能を有効化するように構成される。なお、本明細書においては、ＬＥＤの寿命を１つのスパンとした場合のＬＥＤ照明装置の使用開始に関連する時期を「使用初期」及び「使用開始当初」の文言で表現し、ＬＥＤの１回の点灯及び消灯における点灯の開始点に関連する時間を「点灯開始」の文言で表現する。以下各部の構成について説明する。
【００１６】
直流電源回路２は、整流回路２１、昇圧チョッパ部２２及び平滑コンデンサ２３を備える。整流回路２１はダイオードブリッジ等からなり、入力ＡＣ電源（例えば、商用電源）を全波整流する。昇圧チョッパ部２２及び平滑コンデンサ２３は昇圧及び平滑し、力率改善回路としても機能する。
【００１７】
電流制限回路３はトランジスタ３１、コイル３２、ダイオード３３、コンデンサ３４及び電流検出抵抗３５を備え、降圧コンバータ回路を構成する。トランジスタ３１がＯＮのとき、電流は主に、平滑コンデンサ２３の充電電圧から、トランジスタ３１、コイル３２、ＬＥＤ４及び抵抗３５に流れる。トランジスタ３１がＯＦＦのとき、電流は主に、コイル３２に蓄えられたエネルギーから、ＬＥＤ４、電流検出抵抗３５及びダイオード３３に流れる。ここで、後述する制御回路８が、電流検出抵抗３５に流れる電流、即ち、ＬＥＤ電流が目標値に一致するようにトランジスタ３１のＯＮ幅を制御し、ＰＷＭ制御を行う。なお、後述する調光制御（特に低調光率における制御）においては、トランジスタ３１の制御はＰＷＭだけでなく周波数制御を行ってもよい。周波数制御の場合、トランジスタ３１のスイッチング周波数が高いほどコイル３２のインピーダンスが高くなり、ＬＥＤ電流が絞られる。
【００１８】
即ち、直流電源回路２及び電流制限回路３からなる電源供給回路は交流入力電圧を直流変換して変換出力をＬＥＤ４に供給する。なお、本実施例ではＬＥＤ４の光出力（即ち、照度）がＬＥＤ電流に比例するものとする。
【００１９】
制御電源生成回路５は電圧レギュレータ等からなり、平滑コンデンサ２３の出力電圧を降圧して、１０〜１５Ｖｄｃ程度の定電圧を生成する。制御電源生成回路５は制御部に制御電源を供給する。
【００２０】
制御回路７は、ＣＰＵ７１、メモリ７２、カウンタ７３、補正出力決定手段７４、切替え手段７５及びタイマ７６を備え、これらはコントロールバス７０によって相互に接続される。制御回路７は下記の各手段の機能を備えたマイコン等で構成される。
【００２１】
ＣＰＵ７１は制御回路７内の信号のやりとりを制御し、メモリ７２はプログラム及びデータを記憶する。メモリ７２は不揮発性メモリを備える。
【００２２】
カウンタ７３はＬＥＤ４の点灯開始時からの経過時間をカウントし、メモリ７２には過去のカウント値からの累積値が格納される。即ち、カウンタ７３及びメモリ７２によって累積点灯時間が特定される。累積点灯時間は、例えば、ＬＥＤ電源回路１又はＬＥＤ照明装置の製造工程において、初期点灯試験の後に初期状態にリセットされるようにすればよい。また、ＬＥＤ４がユーザによって交換可能な場合には、ユーザが累積点灯時間をリセットできるように、外部スイッチ（不図示）を設ける構成としてもよい。
【００２３】
補正出力決定手段７４は、メモリ７２に格納される累積点灯時間をインデックスとして、メモリ７２に記憶されるテーブルを索引して初期照度補正機能を実行するためのＬＥＤ電流値（以下、「補正電流値」という）を決定する。上記テーブルは、累積点灯時間の増加に対して補正電流値が上昇し、寿命末期には定格電流値となるように作成されている。言い換えると、使用初期においては、ＬＥＤ電流は定格電流値に対して低減されて減光点灯が行われる。上記所定期間はタイマ７６によって計時され、１秒以上１０秒以下の範囲で予め設定される。なお、定格電流値とは、ＬＥＤ４の寿命後期〜末期において定格照度が得られるように設定されるＬＥＤ電流値である。
【００２４】
切替え手段７５は、メモリ７２に記憶された定格電流値又は補正出力決定手段７４によって決定された補正電流値のいずれかを制御回路８に出力するように構成される。切替え手段７５は、ＬＥＤ４の点灯開始後の所定期間においては、定格電流値を選択し、所定期間経過後には補正電流値を選択するように構成される。
【００２５】
制御回路８はドライバ８１及び誤差増幅手段８２を備える。オペアンプ等からなる誤差増幅手段８２は、制御回路７（切替え手段７５）によって出力される電流値を目標値として、電流検出抵抗３５に発生する検出値が目標値に一致するようにドライバ８１にＰＷＭ制御信号（及び必要に応じて周波数制御信号）を出力する。即ち、制御回路８は、制御回路７からの定格電流値又は補正電流値に従ってトランジスタ３１をＰＷＭ制御（及び必要に応じて周波数制御）してＬＥＤ電流を電流制御する。
【００２６】
図２に図１のＬＥＤ電源回路１の動作を示す。
ｔ０においてＡＣ電源がＬＥＤ電源回路１に投入され、ｔ１において電流供給部及び制御部が起動し、ＬＥＤ電流が上昇される。
ｔ２からｔ３までの期間においては、ＬＥＤ電源回路１は定格電流値を目標値としてＬＥＤ電流を制御する。即ち、制御回路７は切替え手段７５によって選択された定格電流値を制御回路８に出力し、制御回路８の誤差増幅手段８２は定格電流値を目標値として電流フィードバック動作を行う。
【００２７】
ｔ４以降は、ＬＥＤ電源回路１は補正電流値を目標値としてＬＥＤ電流を制御する。即ち、制御回路７の切替え手段７５は補正出力決定手段７４によって決定された補正電流値を制御回路８に出力し、制御回路８の誤差増幅手段８２は補正電流値を目標値として電流フィードバック動作を行う。
【００２８】
上述したようにｔ２からｔ３までの期間長は１秒以上１０秒以下の範囲で設定される。これは、ｔ２からｔ３の期間が１秒未満であると、ユーザが全光期間を認識し難く、即ち、ｔ３の段差に気付かない可能性があり、逆に１０秒を超えると、ユーザがｔ３時を待つことが難しくなり、使い勝手が悪くなるからである。
【００２９】
また、ｔ３とｔ４の間の期間は所定の傾斜でＬＥＤ電流が低減される。例えば、制御回路７の切替え手段７５が、出力値の切替えをなだらかに行ってもよいし、切替え手段７５と誤差増幅手段８２の間に所望の時定数をもった積分回路を設けてもよい。
【００３０】
このように、ｔ２からｔ３までの期間では初期照度補正機能が無効化される。従って、ユーザは、ｔ３までとｔ４以降との間の照度差（照度低下の段差）によって、初期照度補正機能による減光の程度を感覚的に実感することができる。これにより、ユーザは点灯毎に確実にＬＥＤ４の寿命の進み度合いを知ることができる。また、ｔ３〜ｔ４の段差をなだらかにすることにより、急に照度が低下することによる違和感を緩和することができる。このように照度が徐々に低下する構成とすることによって、ユーザは、出力値切替え時の段差が装置の不具合によるものではないことを感覚的に知得することができる。
【００３１】
以上のように、本実施例のＬＥＤ電源回路１は、ユーザに特別な操作を要求することなく、初期照度補正機能によるＬＥＤの減光の程度又はＬＥＤの寿命の進み度合いをユーザに通知することができる。また、このようなＬＥＤ電源回路をＬＥＤ照明装置に搭載することにより、使い勝手の良いＬＥＤ照明装置を提供することができる。
【００３２】
実施例２．
第１の実施例では全光点灯を前提とする構成を示したが、本実施例では調光機能付きＬＥＤ電源回路の場合の構成を示す。
図３は本実施例によるＬＥＤ電源回路１の回路構成図を示す。直流電源回路２、電流制限回路３、制御電源生成回路５及び第２の制御回路８の構成は第１の実施例（図１）と同様であるのでその説明を省略する。本実施例のＬＥＤ電源回路１は調光回路６を備え、それに関連して制御回路７が実施例１のものとは異なる。
【００３３】
調光回路６は、調光信号入力回路６１、調光信号正規化回路６２及び積分回路６３を備え、制御電源生成回路５等から制御電源を供給される。調光信号入力回路６１は、外部からのＰＷＭ調光信号を受け、例えば、フォトカプラ等の絶縁回路によってＬＥＤ電源回路１のグランドを基準としたＰＷＭ調光信号を生成する。調光信号正規化回路６２は調光信号入力回路６１からのＰＷＭ調光信号を正規化する。例えば、調光信号正規化回路６２では、最も高い調光率（全光）を示す調光信号が入力された場合には、最大のＯＮ幅のＰＷＭ正規化調光信号が生成され、最も低い調光率を示す調光信号が入力された場合には、最小のＯＮ幅のＰＷＭ正規化調光信号が生成される。このように、調光信号正規化回路６２では、調光率に応じたＰＷＭ正規化調光信号が生成される。なお、ここでは調光率に対してＰＷＭ正規化調光信号のＯＮ幅が単調増加する構成を示すが、後述する制御回路７における論理の極性に応じて、調光率に対してＰＷＭ正規化調光信号のＯＮ幅が単調減少するようにしてもよい。積分回路６３は調光信号正規化回路６２のＰＷＭ出力を積分して平滑化する。即ち、積分回路６３では、調光率に比例又は逆比例した直流化調光信号（以下、「調光指令値」という）が生成される。
【００３４】
なお、本明細書においては、調光率が高いほど（１００％に近づくほど）明るい点灯が行われ、調光率が低いほど（０％に近づくほど）暗い点灯が行われるものとして調光率が定義される。
【００３５】
制御回路７はＣＰＵ７１、メモリ７２、カウンタ７３、補正出力決定手段７４、切替え手段７５、タイマ７６、調光指令入力手段７７、及び調光出力決定手段７８を備え、これらはコントロールバス７０によって相互に接続される。なお、ＣＰＵ７１、メモリ７２、カウンタ７３及びタイマ７６の構成は第１の実施例（図１）のものと同様であるのでその説明を省略する。
【００３６】
調光指令入力手段７７は調光回路６からの調光指令値を受け付ける。調光出力決定手段７８は調光指令値に基づいて調光ＬＥＤ電流値を決定する。本実施例では、調光ＬＥＤ電流値は、初期照度補正機能を無効化した場合の全光定格電流値を調光指令値に従って減少させた電流値（以下、「調光電流値」（第１の調光電流値）という）である。即ち、調光指令値の示す調光度が１００％（全光）の場合は、定格電流値と調光電流値は事実上同一の値となる。言い換えると、本実施例の構成は全光点灯時についても同様に適用できる。
【００３７】
補正出力決定手段７４は、メモリ７２に格納される累積点灯時間及び調光指令入力手段７７から入力される調光指令値をインデックスとして、メモリ７２に記憶されるテーブルを索引して初期照度補正機能を実行するためのＬＥＤ電流値（以下、「補正調光電流値」（第２の調光電流値）という）を決定する。あるいは、補正出力決定手段７４は、メモリ７２に格納される累積点灯時間をインデックスとして、メモリ７２に記憶されるテーブルを索引して初期照度補正機能を実行するための補正率を特定し、上記の調光電流値に補正率を乗じて補正調光電流値を演算するようにしてもよい。上記テーブルは、各調光率について、累積点灯時間の増加に対して補正調光電流値が上昇し、寿命末期には調光電流値となるように作成されている。言い換えると、使用初期においては、ＬＥＤ電流は調光電流値よりも低減されて減光点灯が行われる。
【００３８】
切替え手段７５は、調光出力決定手段７８によって決定された調光電流値又は補正出力決定手段７４によって決定された補正調光電流値のいずれかを制御回路８に出力するように構成される。切替え手段７５は、ＬＥＤ４の点灯開始後の所定期間においては、調光電流値を選択し、所定期間経過後には補正調光電流値を選択するように構成される。上記所定期間はタイマ７６によって計時され、１秒以上１０秒以下の範囲で予め設定される。
【００３９】
図４に本実施例におけるＬＥＤ電源回路１の動作を示す。
ｔ０においてＡＣ電源がＬＥＤ電源回路１に投入され、ｔ１において電流供給部及び制御部が起動し、ＬＥＤ電流が上昇されていく。
ｔ２からｔ３までの期間においては、ＬＥＤ電源回路１はその時点での調光率における調光電流値を目標値としてＬＥＤ電流を制御する。即ち、制御回路７の切替え手段７５は調光出力決定手段７８によって決定された調光電流値を制御回路８に出力し、制御回路８の誤差増幅手段８２は調光電流値を目標値として電流フィードバック動作を行う。ここでも、ｔ２からｔ３までの期間長は１秒以上１０秒以下の範囲で設定される。
【００４０】
ｔ３以降は、ＬＥＤ電源回路１は補正調光電流値を目標値としてＬＥＤ電流を制御する。即ち、制御回路７の切替え手段７５は補正出力決定手段７４によって決定された補正調光電流値を制御回路８に出力し、制御回路８の誤差増幅手段８２は補正調光電流値を目標値として電流フィードバック動作を行う。
【００４１】
このように、ｔ２からｔ３までの期間では初期照度補正機能が無効化される。従って、ユーザは、調光時始動時においても、ｔ３時の照度低下の段差によって、初期照度補正機能による減光の程度を感覚的に実感することができる。これにより、ユーザは調光時においても点灯毎に確実にＬＥＤの寿命の進み度合いを知ることができる。なお、本実施例では、調光時の小さい段差をユーザが視認しやすいように、ｔ３時の段差は急峻なものとしているが、第１の実施例と同様の理由によりこの段差を緩やかなものとしてもよい。
【００４２】
以上のように、本実施例の構成によると、調光機能付きのＬＥＤ電源回路及びＬＥＤ照明装置においても、第１の実施例と同様に、ユーザに特別な操作を要求することなく、初期照度補正機能によるＬＥＤの減光の程度又はＬＥＤの寿命の進み度合いをユーザに通知することができる。また、このようなＬＥＤ電源回路をＬＥＤ照明装置に搭載することにより、使い勝手の良いＬＥＤ照明装置を提供することができる。
【００４３】
上記実施例は本発明の最も好適な例を示すものであるが、本発明はその趣旨を逸脱しない範囲で以下のように適宜変更可能である。
例えば、上記実施例においては、制御部におけるフィードバック制御として負荷電流をフィードバック制御する構成を示したが、負荷電力をフィードバック制御する構成としてもよい。この場合、ＬＥＤ電源回路１が、ＬＥＤ電圧（即ち、直流電源回路２の出力電圧）を検出する電圧検出回路を備える構成とし、誤差増幅手段８２がＬＥＤ電流とＬＥＤ電圧の積が目標値に等しくなるようにドライバ８１をＰＷＭ（又は周波数）制御する構成とすればよい。この場合、制御回路７に関して、上記実施例の「定格電流」、「定格電流値」、「補正電流値」、「調光電流値」及び「補正調光電流値」をそれぞれ「定格電力」、「定格電力値」、「補正電力値」、「調光電力値」及び「補正調光電力値」と読み替えるものとする。また、「定格電流」と「定格電力」をまとめて「定格出力」といい、「定格電流値」と「定格電力値」をまとめて「定格出力値」といい、「補正電流値」と「補正電力値」をまとめて「補正出力値」といい、「調光電流値」と「調光電力値」をまとめて「調光出力値」といい、「補正調光電流値」と「補正調光電力値」をまとめて「補正調光出力値」というものとする。
【００４４】
また、ＬＥＤ４の寿命がある程度進み、補正電流値と定格電流値の差又は調光電流値と補正調光電流値の差が所定の閾値以下となった場合は、ｔ３時の段差がユーザには知覚できない可能性があるため、初期照度補正機能の無効化の動作を省略するようにしてもよい。
【００４５】
なお、上記実施例では、制御回路７と制御回路８を個別の制御回路で構成したが、双方を１つの制御部として統合してもよい。また、各制御回路をマイコンで構成することもできるし、Ｄ／Ａ変換器、Ａ／Ｄ変換器、比較回路、誤差増幅器等の要素を適宜組合せて構成することもできる。
【００４６】
また、上記実施例では、電流制限回路３として降圧チョッパ回路を示したが、フライバックコンバータ、フォワードコンバータ等の他の形式のスイッチング電源回路を用いてもよい。またさらに、本発明の原理はＬＥＤ点灯用の電源回路及び照明装置だけでなく、蛍光灯、高圧放電灯等、初期照度補正機能が適用される他の光源にも適用可能である。
【符号の説明】
【００４７】
１．ＬＥＤ電源回路
２．直流電源回路
３．電流制限回路
４．ＬＥＤ
５．制御電源生成回路
６．調光回路
７、８．制御回路
７１．ＣＰＵ
７２．メモリ
７３．カウンタ
７４．補正出力決定手段
７５．切替え手段
７６．タイマ
７７．調光指令入力手段
７８．調光出力決定手段
８１．ドライバ
８２．誤差増幅手段
【図１】
2014007356.tif 000003
【図２】
2014007356.tif 000004
【図３】
2014007356.tif 000005
【図４】
2014007356.tif 000006